【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
熱管理システムのためのコンポーネントを選択する方法であって、
グラフィカルユーザインタフェースにおける入力に基づいて、熱管理システムをモデル化するモデルのための処理パラメータのセットを受信することと、
該処理パラメータのセットに基づいて、熱交換器入口温度を計算することと、
該処理パラメータのセットに基づいて、熱交換器出口温度を計算することと、
該熱交換器出口温度を目標温度と比較することと、
該熱交換器出口温度と、吐出流体の温度が該目標温度に到達するのに要する時間とのうちの１つ以上に基づいて、該熱管理システムにおいて用いる１つ以上のコンポーネントを選択することと
を包含する、方法。
【請求項２】
前記処理パラメータのセットを受信することは、タンク温度を前記熱交換器出口温度に等しく設定することを包含する、請求項１に記載の方法。
【請求項３】
前記吐出流体の温度が前記目標温度に到達するに要する時間を目標時間と比較することと、
処理パラメータの新しいセットを選択することにより、該吐出流体の温度に対する該時間を目標時間に等しくなるように変更することと
をさらに包含する、請求項１に記載の方法。
【請求項４】
前記処理パラメータのセットは、熱交換器に対応する熱交換器パラメータのセットを含む、請求項３に記載の方法。
【請求項５】
前記処理パラメータの新しいセットを選択することは、熱交換器パラメータの新しいセットを選択することを包含する、請求項４に記載の方法。
【請求項６】
前記処理パラメータのセットが、
熱交換器パラメータのセットと、
吐出流体パラメータのセットと、
加熱／冷却流体パラメータのセットと、
前記目標温度と
を含む、請求項１に記載の方法。
【請求項７】
前記処理パラメータのセットが、
吐出流体流量と、
加熱／冷却流体流量と
をさらに含む、請求項６に記載の方法。
【請求項８】
前記処理パラメータのセットが、
ポンプパラメータと、
フィルタパラメータと
をさらに含む、請求項６に記載の方法。
【請求項９】
メンテナンス流量を決定することをさらに包含する、請求項１に記載の方法。
【請求項１０】
吐出後の回復時間を決定することをさらに包含する、請求項１に記載の方法。
【請求項１１】
前記グラフィカルユーザインタフェースは、モデル化された熱管理サブシステムの視覚表現を含む、請求項１に記載の方法。
【請求項１２】
前記視覚表現が、
タンクの表現と、
ポンプの表現と、
フィルタの表現と、
熱交換器の表現と
をさらに含む、請求項１１に記載の方法。
【請求項１３】
少なくとも一つの項目を選択することをさらに包含し、該少なくとも一つの項目から、前記グラフィカルユーザインタフェースを使用して少なくとも一つの処理パラメータが得られる、請求項１２に記載の方法。
【請求項１４】
前記グラフィカルユーザインタフェースを使用して少なくとも一つの処理パラメータを入力する、請求項１２に記載の方法。
【請求項１５】
コンピュータ命令のセットを格納するコンピュータ読み取り可能媒体を備えるコンピュータプログラム製品であって、該コンピュータ命令のセットは、
熱管理システムのモデルのための処理パラメータのセットを受信するように実行可能な命令と、
該処理パラメータのセットから熱交換器入口温度を決定するように実行可能な命令と、
該処理パラメータのセットに基づいて、熱交換器出口温度を決定するように実行可能な命令と、
該熱交換器出口温度を目標温度と比較するように実行可能な命令と、
該熱交換器出口温度と、吐出流体の温度が該目標温度に到達するのに要する時間とのうちの１つ以上に基づいて、該熱管理システムにおいて用いる１つ以上のコンポーネントを選択するように実行可能な命令と
を含む、コンピュータプログラム製品。
【請求項１６】
タンク温度を前記熱交換器出口温度に等しく設定するように実行可能な命令をさらに含む、請求項１５に記載のコンピュータプログラム製品。
【請求項１７】
前記吐出流体の温度が前記目標温度に到達するに要する時間を目標時間と比較するように実行可能な命令と、
処理パラメータの新しいセットを選択することにより、該吐出流体の温度に対する該時間を目標時間に等しくなるように変更するように実行可能な命令と
をさらに含む、請求項１５に記載のコンピュータプログラム製品。
【請求項１８】
前記処理パラメータのセットは、熱交換器に対応する熱交換器パラメータのセットを含む、請求項１７に記載のコンピュータプログラム製品。
【請求項１９】
前記処理パラメータの新しいセットを選択することは、熱交換器パラメータの新しいセットを選択することを包含する、請求項１８に記載のコンピュータプログラム製品。
【請求項２０】
前記処理パラメータのセットが、
熱交換器パラメータのセットと、
吐出流体パラメータのセットと、
加熱／冷却流体パラメータのセットと、
前記目標温度と
を含む、請求項１５に記載のコンピュータプログラム製品。
【請求項２１】
前記処理パラメータのセットが、
吐出流体流量と、
加熱／冷却流体流量と
をさらに含む、請求項２０に記載のコンピュータプログラム製品。
【請求項２２】
前記処理パラメータのセットが、
ポンプパラメータと、
フィルタパラメータと
をさらに含む、請求項２０に記載のコンピュータプログラム製品。
【請求項２３】
メンテナンス流量に対して実行可能な命令をさらに含む、請求項１５に記載のコンピュータプログラム製品。
【請求項２４】
吐出後の回復時間を決定するように実行可能な命令をさらに含む、請求項１５に記載のコンピュータプログラム製品。
【請求項２５】
フローを制御する方法であって、
処理パラメータのセットを受信することであって、該処理パラメータのセットは、加熱／冷却流体に対する第１流量を含む、ことと、
該処理パラメータのセットに基づいて、吐出流体が目標温度に到達する時間を決定すること、
該加熱／冷却流体に対する第２流量を決定することと、
該吐出流体が該目標温度に到達する時間にほぼ等しい第１期間について、該第１流量に対応する第１設定点をアサートすることと、
該第１期間が経過した後に、第２期間について、該第２流量に対応する第２設定点をアサートすることと
を包含する、方法。
【請求項２６】
回復期間を決定することをさらに包含する、請求項２５に記載の方法。
【請求項２７】
吐出が発生したという指示を受信することと、
前記回復期間とほぼ等しい第３期間について、前記第１設定点を再アサートすることと
をさらに包含する、請求項２６に記載の方法。
【請求項２８】
前記第３期間が経過した後に、前記第２設定点を再アサートすることをさらに包含する、請求項２７に記載の方法。
【請求項２９】
前記吐出流体が前記目標温度に到達する時間を決定することが、
熱交換器入口温度を決定することと、
熱交換器出口温度を決定することと、
該熱交換器出口温度を該目標温度と比較することと
をさらに包含する、請求項２５に記載の方法。
【請求項３０】
前記熱交換器出口温度が前記目標温度に到達した場合、前記吐出流体が該目標温度に到達する時間が計算され、
該熱交換器出口温度が該目標温度に到達しない場合、タンク温度は該熱交換器出口温度に等しく設定される、請求項２９に記載の方法。
【請求項３１】
前記処理パラメータのセットが、
熱交換器パラメータのセットと、
吐出流体パラメータのセットと、
加熱／冷却流体パラメータのセットと、
前記目標温度と
を含む、請求項２５に記載の方法。
【請求項３２】
前記処理パラメータのセットは、吐出流体流量をさらに含む、請求項３１に記載の方法。
【請求項３３】
前記処理パラメータのセットが、
ポンプパラメータと、
フィルタパラメータと
をさらに含む、請求項３１に記載の方法。
【請求項３４】
前記第２流量は、メンテナンス流量に対応する、請求項２５に記載の方法。
【請求項３５】
プロセッサによって実行可能なコンピュータ読み取り可能媒体に記憶されたコンピュータ命令のセットを含むコンピュータプログラム製品であって、該コンピュータ命令のセットは、
処理パラメータのセットを受信するように実行可能な命令であって、該処理パラメータのセットは、加熱／冷却流体に対する第１流量を含む、命令と、
該処理パラメータのセットに基づいて、吐出流体が目標温度に到達するに要した時間を決定するように実行可能な命令と、
該加熱／冷却流体に対する第２流量を決定するように実行可能な命令と、
該吐出流体が該目標温度に到達する時間にほぼ等しい第１期間について、該第１流量に対応する第１設定点をアサートするように実行可能な命令と、
該第１期間が経過した後に、第２期間について、該第２流量に対応する第２設定点をアサートするように実行可能な命令と
をさらに含む、コンピュータプログラム製品。
【請求項３６】
回復期間を決定するように実行可能な命令をさらに含む、請求項３５に記載のコンピュータプログラム製品。
【請求項３７】
吐出が発生したという指示を受信するように実行可能な命令と、
前記回復期間とほぼ等しい第３期間について、前記第１設定点を再アサートするように実行可能な命令と
をさらに含む、請求項３６に記載のコンピュータプログラム製品。
【請求項３８】
前記第３期間が経過した後に、前記第２設定点を再アサートするように実行可能な命令をさらに含む、請求項３６に記載のコンピュータプログラム製品。
【請求項３９】
前記吐出流体が前記目標温度に到達する時間を決定することが、
熱交換器入口温度を決定することと、
熱交換器出口温度を決定することと、
該熱交換器出口温度を該目標温度と比較することと
をさらに含む、請求項３５に記載のコンピュータプログラム製品。
【請求項４０】
前記熱交換器出口温度が前記目標温度に到達した場合、前記吐出流体が該目標温度に到達する時間が計算され、
該熱交換器出口温度が該目標温度に到達しない場合、タンク温度は該熱交換器出口温度に等しく設定される、請求項３９に記載のコンピュータプログラム製品。
【請求項４１】
前記処理パラメータのセットが、
熱交換器パラメータのセットと、
吐出流体パラメータのセットと、
加熱／冷却流体パラメータのセットと、
前記目標温度と
を含む、請求項３５に記載のコンピュータプログラム製品。
【請求項４２】
前記処理パラメータのセットは、吐出流体流量をさらに含む、請求項４１に記載のコンピュータプログラム製品。
【請求項４３】
前記処理パラメータのセットが、
ポンプパラメータと、
フィルタパラメータと
をさらに含む、請求項４１に記載のコンピュータプログラム製品。
【請求項４４】
前記第２流量は、メンテナンス流量に対応する、請求項３５に記載のコンピュータプログラム製品。
【手続補正２】
【補正対象書類名】図面
【補正対象項目名】全図
【補正方法】変更
【補正の内容】
【図１】
2008510299.tif 000001
【図２Ａ】
2008510299.tif 000002
【図２Ｂ】
2008510299.tif 000003
【図２Ｃ】
2008510299.tif 000004
【図３】
2008510299.tif 000005
【図４】
2008510299.tif 000006
【図５】
2008510299.tif 000007